(57)【特許請求の範囲】
【請求項１】
基地局装置であって、
該基地局装置によりカバーされるサービングセルに接続される移動局装置における受信品質が所定品質を超える複数のセルを指定するセル情報を受信する受信部と、
前記セル情報にて指定される複数のセルのいずれかのセルにおいて無線リンク障害が発生する可能性の程度を予測する障害予測部と、
前記障害予測部の予測結果に応じて、無線リンク障害発生の可能性の程度が所定基準を超える場合に、前記移動局装置をハンドオーバさせるための準備手順を、前記セル情報により指定される複数のセルをそれぞれカバーする他の基地局装置に対して実行する実行部と、
を備える基地局装置。
【請求項２】
前記準備手順は、前記移動局装置によるハンドオーバを可能とするための情報を送信することを含むことを特徴とする請求項１に記載の基地局装置。
【請求項３】
前記ハンドオーバを可能とするための情報は基地局の秘密鍵に対応する鍵情報であることを特徴とする請求項２に記載の基地局装置。
【請求項４】
前記障害予測部は、前記いずれかのセルにおいて発生した無線リンク障害の頻度に従って無線リンク障害発生の可能性の程度を予測することを特徴とする請求項１〜３のいずれか一項に記載の基地局装置。
【請求項５】
無線リンク障害が生じた移動局装置が前記基地局装置によりカバーされるセルに接続することを要求する再接続要求に応じた処理を実行する再接続要求処理部と、
移動局装置が無線リンク障害を生じたセルをカバーする基地局装置へ、該移動局装置から再接続要求を受けたことを通知する無線リンク障害指示信号を送信する障害指示信号送信部と、を備え、
前記障害予測部は、前記いずれかのセルにおいて無線リンク障害を生じた移動局装置が前記セービングセルに接続することを要求する再接続要求に応じて送信した無線リンク障害指示信号の送信頻度に従って、無線リンク障害発生の可能性の程度を予測することを特徴とする請求項４に記載の基地局装置。
【請求項６】
無線リンク障害が生じた移動局装置が前記基地局装置によりカバーされるセルに接続することを要求する再接続要求に応じた処理を実行する再接続要求処理部を備え、
前記障害予測部は、前記いずれかのセルにおいて無線リンク障害を生じた移動局装置が前記セービングセルに接続することを要求する再接続要求の発生頻度に従って、無線リンク障害発生の可能性の程度を予測することを特徴とする請求項４に記載の基地局装置。
【請求項７】
前記セル情報は、セルからの信号を前記移動局装置で受信した受信品質の測定結果を報告する測定報告であって、第１セルの受信品質情報と、前記第１セル以外の第２セルの受信品質情報とを前記第１セル及び前記第２セルを指定する情報として含み、
前記基地局装置は、前記第１セルの受信品質情報に基づいて前記第１セルへ前記移動局装置をハンドオーバさせるか否かを判断するハンドオーバ判断部を備え、
前記送信部は、前記第１セルにて無線リンク障害が発生する可能性の程度が所定基準を超える場合に、前記第２セルをカバーする前記他の基地局装置へ前記鍵情報を送信する請求項１〜６のいずれか一項に記載の基地局装置。
【請求項８】
基地局装置と移動局装置とを含む通信システムであって、
前記移動局装置は、
セルからの信号の受信品質を測定する受信品質測定部と、
該移動局装置のサービングセルをカバーする基地局装置へ、所定品質を超える受信品質が測定される複数のセルを指定するセル情報を送信するセル情報送信部と、を備え、
前記基地局装置は、
該基地局装置によりカバーされるセルに接続される移動局装置から前記セル情報を受信する受信部と、
前記セル情報にて指定される複数のセルのいずれかのセルにおいて無線リンク障害が発生する可能性の程度を予測する障害予測部と、
前記障害予測部の予測結果に応じて、無線リンク障害発生の可能性の程度が所定基準を超える場合に、前記移動局装置をハンドオーバさせるための準備手順を、前記セル情報により指定される複数のセルをそれぞれカバーする他の基地局装置に対して実行する実行部と、を備える通信システム。
【請求項９】
前記基地局装置は、前記所定品質、及び前記移動局装置におけるセルからの信号の受信品質が所定値を超えるか否かに応じて前記セル情報の送信可否を判定する判定条件を前記移動局装置へ通知する条件通知部を備え、
前記セル情報送信部は、第１セルからの信号の受信品質が前記判定条件を満たす場合に、第１セルの受信品質情報と、前記第１セル以外の前記所定品質を超える受信品質が測定される第２セルの受信品質情報と、を前記セル情報として送信することを特徴とする請求項８に記載の通信システム。
【請求項１０】
サービングセル以外のセルからの信号を移動局装置で受信する受信品質を測定し、
測定される受信品質が所定品質を超える複数のセルを特定し、
特定される複数のセルのいずれかのセルにおいて無線リンク障害が発生する可能性の程度を予測し、
予測された無線リンク障害発生の可能性の程度が所定基準を超える場合に、前記移動局装置を前記サービングセルからハンドオーバさせるための準備手順を、前記複数のセルをそれぞれカバーする他の基地局装置に対して実行することを特徴とする通信方法。
【請求項１１】
前記測定される受信品質に基づいて前記複数のセルのうちの第１セルへ前記移動局装置をハンドオーバさせるか否かを判断し、
前記第１セルにおける無線リンク障害が発生する可能性の程度を予測し、
前記第１セルにて無線リンク障害が発生する可能性の程度が所定基準を超える場合に、前記移動局装置をハンドオーバさせるための準備手順を、前記複数のセルのうちの第２セルをカバーする前記他の基地局装置に対して実行する、ことを特徴とする請求項１０に記載の通信方法。
【発明の詳細な説明】
【技術分野】
【０００１】
本明細書で論じられる実施態様は、無線通信システムにおける移動局装置のハンドオーバ技術に関する。
【背景技術】
【０００２】
移動体通信システムには、無線リンク障害（ＲＬＦ: Radio Link Failure）に遭遇した移動局装置に、再接続手順を設けているものがある。再接続手順により移動局装置が接続するセルをカバーする基地局装置は、予め保持している基地局鍵を用いて移動局装置との通信の暗号化やメッセージ完全性保護のセキュリティ制御を行う。このため、再接続手順では、移動局装置との通信のセキュリティを確保するための初期接続手順が実行されない。その結果として、移動局装置のユーザに提供するサービスの中断時間が低減される。このような再接続手順の例としては、例えば３ＧＰＰ（3rd Generation Partnership Project）で規定されるＬＴＥ（Long-term evolution）方式の移動通信システムにおける「RRC(Radio Resource Control) connection re-establishment」が挙げられる。なお、以下の説明において、移動局装置及び基地局装置をそれぞれ「移動局」及び「基地局」と表記することがある。
【０００３】
なお、移動局が、ハンドオーバ完了信号に対する送達確認情報を受信した後に無線リンク障害を検出した場合には、第１鍵を更新する工程と、移動局ＵＥが、ハンドオーバ完了信号に対する送達確認情報を受信する前に無線リンク障害を検出した場合には、第１鍵を更新しない工程を有する通信方法が知られている。
【０００４】
また、所定鍵を用いて移動局と無線基地局との間の通信を行う移動通信方法が知られている。この方法では、移動局の再接続手順において、移動局の再接続先セルを管理する無線基地局は、移動局の次の再接続先セルと移動局との間の通信に用いられる予定の所定鍵を生成するための第１鍵を取得する工程を有する。
【０００５】
また、リンク障害復旧のためのハンドオーバ方法が知られている。この方法では、ハンドオーバ決定プロセスによって決定された各ターゲットセルに対して、第１メッセージが、ソース基地局からターゲットセルをサービスするターゲット基地局に送信される。第１メッセージは、ソース基地局と通信リンクを有する無線機器の識別子と認証データを獲得するための情報を含む。認証データは、無線機器とソース基地局で利用可能な秘密キーとターゲットセルのアイデンティティに依存する。通信リンクの障害に対し、無線機器でセルが選択され、選択されたセルの識別子と秘密キー及びアイデンティティに依存する認証データとを含む再設定要請メッセージが送信される。選択されたセルが第１メッセージを受信したターゲット基地局によってサービスされるターゲットセルである場合、選択されたセルに通信リンクを移すことの許容のため、再設定要請メッセージに含まれた認証データと第１メッセージから獲得した認証データとの一致が検証される。
【０００６】
また、移動端末に、他セルのシステム情報を取得するために必要な情報（ポインタ）を予め提供する方法が知られている。これは、移動端末が現在その中にいるセルを制御する基地局が、他セルの関連システム情報への少なくとも一つのポインタを移動端末へ送信することを含む。移動端末は、その現在の基地局から、ハード・ハンドオーバ手順を実行中に次のセルへの接続された状態になる前に、またはセル再選択手順を実行中に次のセルにアタッチされた状態になる前に、将来のセルにおいて関連システム情報がいつ、どこで送信されるかを知るようになる。これによって、移動先セルのＭＩＢは関連システム情報を取得するために必要ではなくなり、時間とリソースが節減される。あるポインタの例は、ハンドオーバまたはセル再選択などのモビリティ手順のために必要である移動先セルにおけるシステム情報を指し示す。
【先行技術文献】
【特許文献】
【０００７】
【特許文献１】特開２０１０−１１２４４号公報
【特許文献２】特開２０１０−１１２４２号公報
【特許文献３】特表２０１０−５２４３２９号公報
【特許文献４】特表２０１０−５０６４４６号公報
【発明の概要】
【発明が解決しようとする課題】
【０００８】
ハンドオーバを実施する際に、ハンドオーバ先のセルと移動局との間にＲＬＦが発生することが考えられる。この場合に、ハンドオーバ先のセル以外のセルの基地局が、この移動局のための基地局鍵を有していないと、移動局が再接続できないため、再接続手順に失敗する可能性が高まる。開示の装置及び方法は、ハンドオーバ実施時にＲＬＦが発生した場合に移動局がセルと再接続する手順の失敗を低減させることを目的とする。
【課題を解決するための手段】
【０００９】
装置の一観点によれば基地局装置が与えられる。基地局装置は、基地局装置によりカバーされるサービングセルに接続される移動局装置における受信品質が所定品質を超える複数のセルを指定するセル情報を受信する受信部と、セル情報にて指定される複数のセルのいずれかのセルにおいて無線リンク障害が発生する可能性の程度を予測する障害予測部と、障害予測部の予測結果に応じて、無線リンク障害発生の可能性の程度が所定基準を超える場合に、移動局装置をハンドオーバさせるための準備手順を、セル情報により指定される複数のセルをそれぞれカバーする他の基地局装置に対して実行する実行部を備える。
【００１０】
装置の他の一観点によれば、基地局装置と移動局装置とを含む通信システムが与えられる。移動局装置は、セルからの信号の受信品質を測定する受信品質測定部と、移動局装置のサービングセルをカバーする基地局装置へ、所定品質を超える受信品質が測定される複数のセルを指定するセル情報を送信するセル情報送信部を備える。基地局装置は、基地局装置によりカバーされるセルに接続される移動局装置からセル情報を受信する受信部と、セル情報にて指定される複数のセルのいずれかのセルにおいて無線リンク障害が発生する可能性の程度を予測する障害予測部と、障害予測部の予測結果に応じて、無線リンク障害発生の可能性の程度が所定基準を超える場合に、移動局装置をハンドオーバさせるための準備手順を、セル情報により指定される複数のセルをそれぞれカバーする他の基地局装置に対して実行する実行部を備える。
【００１１】
方法の一観点によれば、サービングセル以外のセルからの信号を移動局装置で受信する受信品質を測定し、測定される受信品質が所定品質を超える複数のセルを特定し、特定される複数のセルのいずれかのセルにおいて無線リンク障害が発生する可能性の程度を予測し、予測された無線リンク障害発生の可能性の程度が所定基準を超える場合に、移動局装置を前記サービングセルからハンドオーバさせるための準備手順を、複数のセルをそれぞれカバーする他の基地局装置に対して実行する通信方法が与えられる。
【発明の効果】
【００１２】
本件開示の装置又は方法によれば、ハンドオーバ実施時にＲＬＦが発生した場合に、移動局がセルと再接続する手順の失敗が低減する。
【図面の簡単な説明】
【００１３】
【図１】通信システムの全体構成例を示す図である。
【図２】（Ａ）〜（Ｃ）は、ハンドオーバ処理の第１例の説明図である。
【図３】（Ａ）及び（Ｂ）は、ハンドオーバ処理の第２例の説明図である。
【図４】移動局装置のハードウエア構成の一例を示す図である。
【図５】移動局装置の構成例を示す図である。
【図６】基地局装置のハードウエア構成の一例を示す図である。
【図７】基地局装置の構成例を示す図である。
【図８】移動局装置による処理の一例を示す図である。
【図９】基地局装置による処理の第１例の説明図である。
【図１０】他のハンドオーバ処理の説明図である。
【図１１】基地局装置による処理の第２例の説明図である。
【図１２】（Ａ）及び（Ｂ）は、図１１によるハンドオーバ処理の説明図である。
【発明を実施するための形態】
【００１４】
＜１．通信システムの構成＞
以下、添付する図面を参照して本発明の実施例について説明する。図１は、通信システムの全体構成例を示す図である。通信システム１は、基地局２ａ、２ｂ、２ｃ…を含んだ複数の基地局と、移動局３を備える。参照符号４ａ〜４ｃは、それぞれ基地局２ａ〜２ｃによりカバーされるセルの範囲を模式的に示す。以下の説明において、基地局２ａ、２ｂ、２ｃ…を総称して「基地局２」と表記することがある。また、セル４ａ、４ｂ、４ｃ…を総称して「セル４」と表記することがある。
【００１５】
通信システム１は、さらに基地局２と公衆網との間を接続する有線ネットワーク５と、有線ネットワーク５のノード装置６ａ及び６ｂを備える。基地局２同士の間には基地局間論理接続が設けられる。図示の例では、基地局２ａと２ｂとの間、基地局２ｂと２ｃの間、及び基地局２ｃ及び２ａの間に、それぞれ基地局間論理接続７ａ、７ｂ及び７ｃが設けられる。
【００１６】
また、基地局２ａ、２ｂ及び２ｃとノード装置６ａとの間にはそれぞれ基地局ノード間論理接続８ａ、８ｂ及び８ｃが設けられる。さらに、ノード装置６ａと６ｂの間にはノード間論理接続９が設けられる。以下の説明において、ノード装置６ａ及び６ｂを総称して「ノード装置６」と表記することがある。また、基地局ノード間論理接続、基地局ノード間論理接続及びノード間論理接続を単に「論理接続」と表記することがある。さらに、論理接続７ａ〜７ｃ及び８ａ〜８ｃをそれぞれ総称して「論理接続７」及び「論理接続８」と表記することがある。
【００１７】
例えば、ノード装置６は、ＬＴＥ方式の無線アクセス網を収容する移動通信システムであるＥＰＣ（Evolved Packet Core）のＭＭＥ（Mobility Management Entity）／Ｓ−ＧＷ(Serving-GateWay)／ＰＤＮ−ＧＷ(Packet Data Network-GateWay)が統合されたノードであってよい。また、論理接続７、８及び９はそれぞれＸ２インタフェース、Ｓ１インタフェース及びＳ１０インタフェースであってよい。また、有線ネットワーク５は、インターネット網、あるいは、企業網であってよい。
【００１８】
＜２．ハンドオーバ処理の説明＞
次に、通信システム１における移動局のハンドオーバ処理の例について説明する。図２の（Ａ）において、移動局３はサービングセル４ａのセル端においてセル４からの信号の受信品質を測定する。移動局３は、セル４ｂをカバーする基地局２ｂからの信号の受信品質が所定値Ｑｍを超えると、サービングセル４ａの基地局２ａへ測定報告を送信する。この所定値Ｑｍは、例えば、移動局３によるセル４ｂへのハンドオーバ実行条件を満足する受信品質であってよい。なお、添付する図面において測定報告を「ＭＲ」と表記する。なお、本明細書において、特に説明がない限り、対象とする移動局３のサービングセルは基地局２ａにカバーされるセル４ａであるものとして、以下の説明を行う。
【００１９】
移動局３が送信する測定報告には、セル４ｂの基地局２ｂからの信号の受信品質情報に加えて、移動局３において所定品質Ｑｒを超える受信品質が測定されたセル４ｃの基地局２ｃからの信号の受信品質情報を含む。基地局２ｃからの信号の受信品質を測定報告に含めるか否かを判断するための所定品質Ｑｒは、例えば、移動局３が受信可能な受信品質以上の品質であってよい。また、所定品質Ｑｒは、移動局３が測定報告を送信するか否かの判断のための所定値Ｑｍ未満となるように、すなわち、所定値Ｑｍを超える基地局２ｂからの信号の受信品質は、所定品質Ｑｒを超えるように定めてもよい。基地局２ａは、移動局３から送信される測定報告を受信する。
【００２０】
基地局２ａは、セル４ｂにおいて移動局３に生じるＲＬＦの発生可能性の程度を予測する。ＲＬＦ発生の可能性の程度が所定基準を超える場合には、図２の（Ｂ）に示すように基地局２ａは、セル４ｂの基地局２ｂとセル４ｃの基地局２ｃの両方に対して、ハンドオーバ準備手順を実施する。なお、添付する図面においてハンドオーバを「ＨＯ」と表記する。
【００２１】
ハンドオーバ準備手順は、サービングセルをカバーする基地局から他の基地局へハンドオーバさせるための準備手順である。例えば、ハンドオーバ準備手順は、移動局３による再接続手順が成功するために再接続先セルの基地局２が保持すべき情報を、ある基地局から他の基地局へ送信する手順であってよい。例えば、再接続手順において鍵管理プロトコルが実施されないため基地局鍵を保有する基地局２にのみ移動局３が再接続可能な場合には、ハンドオーバ準備手順は、基地局鍵やこれを特定するための鍵情報を送信する手順であってよい。その他、再接続手順が成功するために再接続先の基地局２において移動局３のコンテクスト情報を保持しておくことを要する場合には、ハンドオーバ準備手順は、移動局３のコンテクスト情報を送信する手順であってよい。このようなハンドオーバ準備手順の例としては、ＬＴＥ（Long-term evolution）方式の移動通信システムにおける「Handover Preparation」が挙げられる。なお、以下の説明において「移動局３による再接続手順が成功するために再接続先セルの基地局２が保持すべき情報」を「再接続手順に必要な情報」と表記することがある。
【００２２】
一方で、ＲＬＦ発生の可能性の程度が所定基準を超えない場合には、図２の（Ｃ）に示すように基地局２ａは、セル４ｂの基地局２ｂにのみハンドオーバ準備手順を実施する。
【００２３】
図３の（Ａ）は、ハンドオーバ処理の他の例の説明図である。移動局３が送信する測定報告には、基地局２ｂからの信号の受信品質情報に加えて、移動局３において所定品質Ｑｒを超える受信品質が測定された２つ以上の基地局からの信号の受信品質情報を含んでいてよい。図３の（Ａ）の例において測定報告は、移動局３において所定品質Ｑｒを超える受信品質が測定された基地局２ｃ及び２ｄからの受信品質情報を含む。
【００２４】
セル４ｂにおけるＲＬＦ発生の可能性の程度が所定基準を超える場合には、基地局２ａは、セル４ｂの基地局２ｂに加えて、測定報告に受信品質情報が含まれる基地局２のうちの２つ以上の基地局２に対してハンドオーバ準備手順を実施してよい。図３の（Ａ）の例において基地局２ａは、基地局２ｂ〜２ｄに対してハンドオーバ準備手順を実施する。
【００２５】
ある実施例では、セル４ｂ及び４ｃでのＲＬＦ発生の可能性の程度が所定基準を超える場合のみ基地局２ｄに対してハンドオーバ準備手順を実施し、セル４ｂでのみＲＬＦ発生の可能性の程度が所定基準を超える場合には基地局２ｄに対して実施しなくてよい。このような例を図３の（Ｂ）に示す。
【００２６】
上記のハンドオーバ処理では、ハンドオーバ先の候補となるセル４ｂにおけるＲＬＦの可能性の程度が基準よりも高い場合には、他のセルにも予備的にハンドオーバ準備手順を実施する。このため、ハンドオーバ先のセル４ｂにおいてＲＬＦが発生しても、移動局３は他のセルに再接続手順を試みることが可能となるため、ＲＬＦが発生しやすいハンドオーバ時において再接続手順の失敗を低減することが可能となる。
【００２７】
また、例えばハンドオーバ先の候補となるセル４ｂにおけるＲＬＦの可能性の程度が基準以下の場合には、他のセルへのハンドオーバ準備手順が実施されない。または、複数のセルのＲＬＦの可能性の程度を判定し、ＲＬＦの可能性の程度が基準以下のセルが見つかった場合には、ハンドオーバ準備手順を実施するセルを増やさない。このため、ハンドオーバ準備手順の対象セルが増えることを防止できるため、基地局間における制御信号の伝送量を低減する。
【００２８】
＜３．移動局装置の実施例＞
続いて、通信システム１の各構成要素を説明する。図４は、移動局３のハードウエア構成の一例を示す図である。移動局３は、信号処理プロセッサ１０と、信号処理用メモリ１１と、アプリケーションプロセッサ１２と、アプリケーション用メモリ１３と、入出力装置１４と、無線通信回路１５と、アンテナ１６を備える。なお、図４に示すハードウエア構成は、あくまで移動局３を実現するハードウエア構成の１つである。本明細書において以下に記載される処理を実行するものであれば、他のどのようなハードウエア構成が採用されてもよい。
【００２９】
無線通信回路１５は、アンテナ１６を介して移動局３と基地局２との間で送受信される無線信号のデジタルアナログ変換、アナログデジタル変換、周波数変換、信号増幅及びフィルタリングを行う。アプリケーションプロセッサ１２は、ユーザが使用するアプリケーションを動作させ、移動局３と基地局２との間で送受信されるユーザデータの生成及び抽出とユーザデータを使用する情報処理を行う。アプリケーション用メモリ１３には、アプリケーションプロセッサ１２により実行されるアプリケーションプログラム及びその実行に用いられる情報や一時データが格納される。入出力装置１４は、ユーザによるユーザデータの入力操作を受け付ける受付処理及びユーザに対するユーザデータの出力を行う。
【００３０】
信号処理プロセッサ１０は、アプリケーションプロセッサ１２により実行される処理以外の残りのベースバンド信号処理を実行する。信号処理用メモリ１１には、信号処理プロセッサ１０により実行される信号処理プログラム及びその実行に使用されるデータが格納される。
【００３１】
図５は、移動局３の構成例を示す図である。移動局３は、通信信号処理部２０と、無線インタフェース部２１と、アプリケーション処理部２２と、無線アクセスサービス制御部２３と、有線ネットワークサービス制御部２４と、受信品質測定処理部２５を備える。
【００３２】
無線インタフェース部２１による信号処理は、無線通信回路１５及び信号処理用プロセッサ１０によって実行される。アプリケーション処理部２２による情報処理は、アプリケーションプロセッサ１２により実行される。他の構成要素による信号処理は、信号処理プロセッサ１０が、信号処理用メモリ１１に格納される信号処理プログラムを実行することによって実施される。なお、図５は、以下の説明に関係する機能を中心として示している。したがって、移動局３は図示の構成要素以外の他の構成要素を含んでいてよい。
【００３３】
続いて、各構成要素２０〜２５の動作について説明する。通信信号処理部２０は、通信路、すなわちベアラの設定情報に基づいて、データのルーティングに関する処理及びデータ転送用プロトコルに関する処理を実行する。また、通信信号処理部２０は、無線アクセス手順メッセージ等の移動局３に向けられたシグナリング情報等を認識し、このシグナリング情報を処理する他の構成要素との間でデータを送受信する。
【００３４】
無線インタフェース部２１は、通信システム１に固有の物理層プロトコル及びデータリンク層プロトコルを実行し、移動局３の外部の通信装置と通信信号処理部２０との間のデータの送受信を行う。アプリケーション処理部２２は、移動局３のユーザが使用するアプリケーションを動作させる。アプリケーション処理部２２は、ネットワークを介して対向する通信ノードとの間で送受信するデータの送信元及び受信先になる。
【００３５】
無線アクセス手順制御部２３は、ＲＲＣ（Radio Resource Control）等の基地局２との間の制御シグナリングを実行し、無線区間の通信路の設定及び解放のための制御を実行する。有線ネットワークサービス制御部２４は、有線ネットワーク５側のネットワークエンティティとの間の制御シグナリングを実行し、無線区間以外の通信路の設定及び解放のための制御を実行する。受信品質測定処理部２５は、セルからの信号の受信品質の測定及び測定報告の生成を行う。
【００３６】
本明細書に開示される処理に関し、無線アクセス手順制御部２３は、移動局３が測定報告を送信するか否かの判断のための上記所定値Ｑｍと、基地局２からの信号の受信品質を測定報告に含めるか否かの判断のための上記所定品質Ｑｒを基地局２ａから受信する。
【００３７】
上述の通り、所定値Ｑｍは、例えば、移動局３があるセルへのハンドオーバを実行する条件を満足する受信品質であってよい。以下の説明では、移動局３があるセル４ｂへのハンドオーバを実行するためのハンドオーバ実行条件を満たす場合に、移動局３が測定報告を送信する実施例について説明する。また、セル４ｂからの信号の受信品質が所定値Ｑｍを超える場合、セル４ｂを「ハンドオーバ先候補セル」と表記することがある。但し、本明細書において開示される装置、システム及び方法はこの実施例に限定されるものではない。所定値Ｑｍとして様々な基準に基づく値を採用してよい。
【００３８】
また、ハンドオーバ先候補セル４ｂ以外の、所定品質Ｑｒを超える受信品質が測定されるセル４を「予備候補セル」と表記することがある。
【００３９】
なお、無線アクセス手順制御部２３は、予備候補セルの受信品質情報を測定報告に含めることを指示する予備候補報告設定を基地局２ａから受信してもよい。無線アクセス手順制御部２３は、ハンドオーバ実行条件、所定品質Ｑｒ及び予備候補報告設定を、受信品質測定処理部２５に設定する。
【００４０】
受信品質測定処理部２５は、セル４からの信号の受信品質を測定し、ハンドオーバ実行条件を満たすハンドオーバ先候補セル４ｂが存在する場合に、ハンドオーバ先候補セル４ｂの受信品質情報を含む測定報告を生成する。測定報告に含まれる受信品質情報は、ハンドオーバ先候補セル４ｂの識別子と、ハンドオーバ先候補セル４ｂの受信品質を示す情報を含んでいてよい。
【００４１】
また、受信品質測定処理部２５は、予備候補報告設定がある場合に、所定品質Ｑｒを超える受信品質の予備候補セル４を特定し、予備候補セル４の受信品質情報を測定報告に含める。測定報告に含まれる受信品質情報は、予備候補セル４ｂの識別子と、予備候補セル４ｂの受信品質を示す情報を含んでいてよい。
【００４２】
受信品質測定処理部２５は、無線アクセス手順制御部２３に測定報告の送信を要求する。無線アクセス手順制御部２３は、測定報告を基地局２ａへ送信する。なお、受信品質測定処理部２５は、受信品質測定部の一例である。また、無線アクセス手順制御部２３は、セル情報送信部の一例である。
【００４３】
＜４．基地局装置の実施例＞
次に基地局２について説明する。図６は、基地局２ａのハードウエア構成の一例を示す図である。他の基地局２ｂ、２ｃ…も同様の構成を有する。基地局２ａは、プロセッサ３０と、メモリ３１と、補助記憶装置３２と、無線通信回路３３と、有線伝送路インタフェース回路３４と、アンテナ３５を備える。プロセッサ３０と、メモリ３１と、補助記憶装置３２と、無線通信回路３３と、有線伝送路インタフェース回路３４は、バス３６によって接続されている。なお、図５に示すハードウエア構成は、あくまで基地局２ａを実現するハードウエア構成の１つである。本明細書において以下に記載される処理を実行するものであれば、他のどのようなハードウエア構成が採用されてもよい。
【００４４】
無線通信回路３３は、アンテナ３３を介して移動局３と基地局２ａとの間で送受信される無線信号のデジタルアナログ変換、アナログデジタル変換、周波数変換、信号増幅及びフィルタリングを行う。有線伝送路インタフェース回路３４は、他の基地局２ｂ、２ｃ…及びノード装置６との間で送受信されるデータの信号処理を行う。
【００４５】
プロセッサ３０は、制御シグナリングの実行やデータのルーティング等の信号処理を実行する。補助記憶装置３２には、プロセッサ３０により実行される信号処理プログラム及びその実行に使用される情報が格納される。データメモリ３１には、実行中の信号処理プログラム及び一時データが格納される。
【００４６】
図７は、基地局２ａの構成例を示す図である。他の基地局２ｂ、２ｃ…も同様の構成を有する。基地局２ａは、通信信号処理部４０と、無線インタフェース部４１と、有線インタフェース部４２と、無線アクセス手順制御部４３と、有線ネットワークサービス制御部４４と、ハンドオーバ制御部４５と、セル情報管理部４６と、ハンドオーバ準備手順処理部４７と、再接続要求処理部４８と、障害指示信号生成部４９を備える。
【００４７】
無線インタフェース部４１による信号処理は、無線通信回路３３及びプロセッサ３０によって実行される。有線インタフェース部４２による信号処理は、有線伝送路インタフェース回路３４及びプロセッサ３０によって実行される。他の構成要素による信号処理は、プロセッサ３０が、補助記憶装置３２に格納される信号処理プログラムを実行することによって実施される。なお、図７は、以下の説明に関係する機能を中心として示している。したがって、基地局２ａは図示の構成要素以外の他の構成要素を含んでいてよい。
【００４８】
続いて、各構成要素４０〜４９の動作について説明する。通信信号処理部４０は、通信路、すなわちベアラの設定情報に基づいて、データのルーティングに関する処理及びデータ転送用プロトコルに関する処理を実行する。また、通信信号処理部４０は、無線アクセス手順メッセージ等の基地局２ａに向けられたシグナリング情報等を認識し、このシグナリング情報を処理する他の構成要素との間でデータを送受信する。
【００４９】
無線インタフェース部４１及び有線インタフェース部４２は、通信システム１に固有の物理層プロトコル及びデータリンク層プロトコルを実行し、基地局２ａの外部の通信装置と通信信号処理部４０との間のデータの送受信を行う。無線インタフェース部４１は、移動局３との間のデータ送受信を行う。また、有線インタフェース部４２は、他の基地局２ｂ、２ｃ…との間でデータが送受信される論理接続７、及びノード装置６との間でデータが送受信される論理接続８にて実施される通信手順のための情報処理及び信号処理を実行する。
【００５０】
無線アクセス手順制御部４３は、移動局３との間の制御シグナリングを実行し、無線区間の通信路の設定及び解放のための制御を実行する。有線ネットワークサービス制御部４４は、有線ネットワーク５側のネットワークエンティティとの間の制御シグナリングを実行し、無線区間以外の通信路の設定及び解放のための制御を実行する。
【００５１】
ハンドオーバ制御部４５は、ハンドオーバ実行条件を設定する。また、移動局３から受信した測定報告の内容に基づいて、ハンドオーバ実行の可否を判断しハンドオーバ先のセルを選択する。セル情報管理部４６は、基地局２ａがカバーするセル４間の隣接関係及び基地局２ａがカバーするセル４と他の基地局２ａがカバーするセル４との間の隣接関係を表す隣接関係情報を管理する。
【００５２】
例えば、隣接関係情報は、基地局２ａがカバーする各々のセル４と、各セル４に隣接する他のセル４ａとを格納するテーブルエントリを有するテーブル情報であってよい。例えば、セル情報管理部４６は、有線ネットワーク５内に配置された通信システム１を形成する他のネットワークエンティティからセル４間の隣接関係に関する情報を取得することによってテーブルエントリを作成してよい。また例えば、セル情報管理部４６は、移動局３と基地局２ａとの間の制御シグナリング及び／又は有線ネットワーク５側のネットワークエンティティと基地局２ａとの間の制御シグナリングで取得した情報に基づいて、テーブルエントリを作成してもよい。
【００５３】
ハンドオーバ準備手順処理部４７は、測定報告にて報告されたセル４におけるＲＬＦの発生の可能性の程度を予測する。ハンドオーバ準備手順処理部４７は、この予測結果に基づいて、測定報告で報告されたセル４へのハンドオーバ準備手順の実行を有線ネットワークサービス制御部４４に要求する。
【００５４】
再接続要求処理部４８は、ＲＬＦを生じた移動局３から受信した再接続要求に応じて、基地局２ａがカバーするセル４ａにこの移動局３を接続する再接続処理を実行する。障害指示信号生成部４９は、移動局３がＲＬＦを生じた元の接続先のセル４をカバーする基地局２へ、この移動局３から再接続要求を受けたことを通知するＲＬＦ指示信号を生成する。障害指示信号生成部４９は、再接続要求において指定されるセルの識別子に基づいて、いずれのセルが移動局３の元の接続先のセル４であるかを判断してよい。なお、ＲＬＦ指示信号の例としては、例えばＬＴＥ方式の移動通信システムにおける「RLF indication メッセージ」が挙げられる。
【００５５】
本明細書に開示される処理に関し、ハンドオーバ制御部４５は、ハンドオーバ実行条件及び所定品質Ｑｒを決定する。ハンドオーバ制御部４５は、無線アクセス手順制御部２３に対して、ハンドオーバ実行条件及び所定品質Ｑｒを、移動局２ａがカバーするサービングセル４ａに接続する移動局３へ送信することを要求する。また、ハンドオーバ制御部４５は、無線アクセス手順制御部２３に対して、予備候補報告設定を移動局３へ送信することを要求してもよい。ハンドオーバ制御部４５は、移動局３から受信した測定報告の内容に基づいて、ハンドオーバ先候補セル４ｂへの移動局３のハンドオーバ実行の可否を判断する。
【００５６】
測定報告に予備候補セル４ｃの受信品質情報が含まれる場合、ハンドオーバ準備手順処理部４７は、ハンドオーバ先候補セル４ｂにおけるＲＬＦの発生の可能性の程度を予測する。例えばハンドオーバ準備手順処理部４７は、対象のセル４におけるＲＬＦの発生の可能性の程度を、移動局３のサービングセル４ａから対象のセル４へ過去に送信されたＲＬＦ指示信号の送信頻度に応じて予測してよい。また、例えばハンドオーバ準備手順処理部４７は、対象のセル４におけるＲＬＦの発生の可能性の程度を、過去において発生した対象のセル４からサービングセル４ａへの再接続要求の発生頻度に従って予測してよい。
【００５７】
ハンドオーバ先候補セル４ｂにおけるＲＬＦの発生の可能性の程度が所定基準を超える場合には、ハンドオーバ準備手順処理部４７は、ハンドオーバ先候補セル４ｂ及び予備候補セル４ｃに対するハンドオーバ準備手順の実行を有線ネットワークサービス制御部４４に要求する。ハンドオーバ先候補セル４ｂにおけるＲＬＦの発生の可能性の程度が所定基準を超えない場合には、ハンドオーバ準備手順処理部４７は、ハンドオーバ先候補セル４ｂのみに対するハンドオーバ準備手順の実行を有線ネットワークサービス制御部４４に要求する。
【００５８】
有線ネットワークサービス制御部４４は、ハンドオーバ準備手順処理部４７により要求されたセル４に対するハンドオーバ準備手順を実行する。ハンドオーバ準備手順において、有線ネットワークサービス制御部４４は、論理接続７を経由して、ハンドオーバ準備手順を実行するセル４の基地局２へハンドオーバ要求信号を送信する。ハンドオーバ要求信号は、移動局３による再接続手順に必要な情報を基地局間で伝送する信号である。
【００５９】
ハンドオーバ要求信号の例としては、例えばＬＴＥ方式の移動通信システムにおける「Handover Request メッセージ」が挙げられる。基地局２ａとハンドオーバ準備手順を実行するセル４の基地局２の位置関係によっては基地局２間の論理接続７がない場合がある。このような場合、有線ネットワークサービス制御部４４は、論理接続８を経由してノード装置６へ再接続手順に必要な情報を送信する。再接続手順に必要な情報は、論理接続８、ノード装置６及び論理接続９を経由して、ハンドオーバ準備手順を実行するセル４の基地局２へ伝送される。
【００６０】
なお、無線アクセス手順制御部４３は、受信部の一例である。ハンドオーバ準備手順処理部４７は、障害予測部の一例である。ハンドオーバ準備手順処理部４７及び無線アクセス手順制御部４３は、送信部の一例である。障害指示信号生成部４９及び無線アクセス手順制御部４３は、障害指示信号送信部の一例である。ハンドオーバ制御部４５は、ハンドオーバ判断部の一例である。ハンドオーバ制御部４５及び無線アクセス手順制御部４３は、条件通知部の一例である。
【００６１】
＜５．各装置の処理の説明＞
＜５．１  第１実施例＞
次に、上記の移動局３及び基地局２による処理について説明する。図８は、移動局３による処理の一例を示す図である。なお、下記に説明する一連の処理は複数の手順を含む方法と解釈してよい。この場合に「オペレーション」を「ステップ」と読み替えてもよい。
【００６２】
オペレーションＡＡにおいて無線アクセス手順制御部２３は、所定値Ｑｍと、所定品質Ｑｒ及び予備候補報告設定を基地局２ａから受信する。オペレーションＡＢにおいて無線アクセス手順制御部２３は、ハンドオーバ実行条件、所定品質Ｑｒ及び予備候補報告設定を、受信品質測定処理部２５に設定する。
【００６３】
オペレーションＡＣにおいて受信品質測定処理部２５は、セル４からの信号の受信品質を測定する。オペレーションＡＤにおいて受信品質測定処理部２５は、ハンドオーバ実行条件を満たすハンドオーバ先候補セル４ｂが存在するか否かを判断する。ハンドオーバ先候補セル４ｂが存在する場合（オペレーションＡＤ：Ｙ）には、処理はオペレーションＡＥへ進む。ハンドオーバ先候補セル４ｂが存在しない場合（オペレーションＡＤ：Ｎ）には、処理はオペレーションＡＣへ戻る。
【００６４】
オペレーションＡＥにおいて受信品質測定処理部２５は、無線アクセス手順制御部２３から予備候補報告設定が設定されているか否かを判断する。予備候補報告設定が設定されている場合（オペレーションＡＥ：Ｙ）には、処理はオペレーションＡＦへ進む。予備候補報告設定が設定されていない場合（オペレーションＡＥ：Ｎ）には、処理はオペレーションＡＨへ進む。
【００６５】
オペレーションＡＦにおいて受信品質測定処理部２５は、移動局３における受信品質が所定品質Ｑｒを超える予備候補セル４ｃがあるか否かを判断する。予備候補セル４ｃが存在する場合（オペレーションＡＦ：Ｙ）には、処理はオペレーションＡＧへ進む。予備候補セル４ｃが存在しない場合（オペレーションＡＦ：Ｎ）には、処理はオペレーションＡＨへ進む。
【００６６】
オペレーションＡＧにおいて受信品質測定処理部２５は、ハンドオーバ先候補セル４ｂ及び予備候補セル４ｃの受信品質情報を含む測定報告を生成する。無線アクセス手順制御部２３は測定報告をサービングセル４ａの基地局２ａへ送信する。その後に処理が終了する。
【００６７】
オペレーションＡＨにおいてハンドオーバ先候補セル４ｂのみの受信品質情報を含む測定報告を生成する。無線アクセス手順制御部２３は測定報告をサービングセル４ａの基地局２ａへ送信する。その後に処理が終了する。
【００６８】
図９は、基地局２による処理の第１例の説明図である。なお、下記に説明する一連の処理は複数の手順を含む方法と解釈してよい。この場合に「オペレーション」を「ステップ」と読み替えてもよい。オペレーションＢＡにおいて無線アクセス手順制御部４３は、移動局３から測定報告を受信する。
【００６９】
オペレーションＢＢにおいてハンドオーバ制御部４５は、移動局３から受信した測定報告により報告されるハンドオーバ先候補セル４ｂの受信品質がハンドオーバ実行条件を満たすか否かを判断する。ハンドオーバ実行条件が満たされる場合（オペレーションＢＢ：Ｙ）には、処理はオペレーションＢＣへ進む。ハンドオーバ実行条件が満たされない場合（オペレーションＢＢ：Ｎ）には処理が終了する。
【００７０】
オペレーションＢＣにおいてハンドオーバ準備手順処理部４７は、測定報告が予備候補セル４ｃの受信品質情報を含むか否かを判断する。測定報告が予備候補セル４ｃの受信品質情報を含む場合（オペレーションＢＣ：Ｙ）には、処理はオペレーションＢＤへ進む。測定報告が予備候補セル４ｃの受信品質情報を含まない場合（オペレーションＢＣ：Ｎ）には、処理はオペレーションＢＦへ進む。
【００７１】
オペレーションＢＤにおいてハンドオーバ準備手順処理部４７は、ハンドオーバ先候補セル４ｂにおけるＲＬＦの発生の可能性の程度を予測する。ＲＬＦの発生の可能性の程度が所定基準を超える場合（オペレーションＢＤ：Ｙ）には、処理はオペレーションＢＥへ進む。ＲＬＦの発生の可能性の程度が所定基準を超えない場合（オペレーションＢＤ：Ｎ）には、処理はオペレーションＢＦへ進む。
【００７２】
オペレーションＢＥにおいてハンドオーバ準備手順処理部４７は、ハンドオーバ先候補セル４ｂ及び予備候補セル４ｃに対するハンドオーバ準備手順の実行を有線ネットワークサービス制御部４４に要求する。有線ネットワークサービス制御部４４は、ハンドオーバ準備手順を実行する。その後に処理が終了する。オペレーションＢＦにおいてハンドオーバ準備手順処理部４７は、ハンドオーバ先候補セル４ｂのみに対するハンドオーバ準備手順の実行を有線ネットワークサービス制御部４４に要求する。その後に処理が終了する。
【００７３】
本実施例によれば、ハンドオーバ先候補セル４ｂにおけるＲＬＦの可能性の程度が基準よりも高い場合には、予備候補セル４ｃにもハンドオーバ準備手順を実施する。このため、ハンドオーバ時にセル４ｂにおいてＲＬＦが発生しても、セル４ｃにも再接続手順を実施することができるため、再接続手順の失敗を低減することが可能となる。
【００７４】
また、ハンドオーバ先候補セル４ｂにおけるＲＬＦの可能性の程度が基準以下の場合には、予備候補セル４ｃへのハンドオーバ準備手順が実施されない。このため、ハンドオーバ準備手順の対象セルの増加を防ぎ、基地局間における制御信号の伝送量を低減する。
【００７５】
なお、上記のオペレーションＢＤでは、ハンドオーバ準備手順処理部４７は、ハンドオーバ先候補セル４ｂにおけるＲＬＦの発生の可能性の程度に基づいて、予備候補セル４ｃへのハンドオーバ準備手順の可否を判断した。
【００７６】
図１０に他の実施例のハンドオーバ処理の説明図を示す。他の実施例では、ハンドオーバ準備手順処理部４７は、ハンドオーバ先候補セル４ｂに加えて、サービングセル４ａとハンドオーバ先候補セル４ｂとの共通の隣接セル４ｄ及び４ｅにおけるＲＬＦの発生の可能性の程度を予測してよい。ハンドオーバ準備手順処理部４７は、ハンドオーバ先候補セル４ｂ、隣接セル４ｄ及び４ｅにおけるＲＬＦの発生の可能性の程度に基づいて、予備候補セル４ｃへのハンドオーバ準備手順の可否を判断してよい。
【００７７】
この実施例では、ハンドオーバ先候補セル４ｂに加えて、隣接セル４ｄ及び４ｅにおいてもＲＬＦの発生の可能性の程度を予測する。このため、ハンドオーバ先候補セル４ｂにおけるＲＬＦの発生の可能性の程度をより正確に予測することが可能となる。
【００７８】
＜５．２  第２実施例＞
次に、基地局２による他の処理例について説明する。図１１は、基地局２による処理の第２例の説明図である。なお、下記に説明する一連の処理は複数の手順を含む方法と解釈してよい。この場合に「オペレーション」を「ステップ」と読み替えてもよい。オペレーションＣＡにおいて無線アクセス手順制御部４３は、移動局３から測定報告を受信する。
【００７９】
オペレーションＣＢにおいてハンドオーバ制御部４５は、ハンドオーバ先候補セル４ｂの受信品質がハンドオーバ実行条件を満たすか否かを判断する。ハンドオーバ実行条件が満たされる場合（オペレーションＣＢ：Ｙ）には、処理はオペレーションＣＣへ進む。ハンドオーバ実行条件が満たされない場合（オペレーションＣＢ：Ｎ）には処理が終了する。
【００８０】
オペレーションＣＣにおいてハンドオーバ準備手順処理部４７は、測定報告が予備候補セル４の受信品質情報を含むか否かを判断する。測定報告が予備候補セル４の受信品質情報を含む場合（オペレーションＣＣ：Ｙ）には、処理はオペレーションＣＤへ進む。測定報告が予備候補セル４の受信品質情報を含まない場合（オペレーションＣＣ：Ｎ）には、処理はオペレーションＣＩへ進む。
【００８１】
オペレーションＣＤにおいてハンドオーバ準備手順処理部４７は、ハンドオーバ先候補セル４ｂにおけるＲＬＦの発生の可能性の程度を予測する。ＲＬＦの発生の可能性の程度が所定基準を超える場合（オペレーションＣＤ：Ｙ）には、処理はオペレーションＣＥへ進む。ＲＬＦの発生の可能性の程度が所定基準を超えない場合（オペレーションＣＤ：Ｎ）には、処理はオペレーションＣＩへ進む。
【００８２】
オペレーションＣＥにおいてハンドオーバ準備手順処理部４７は、変数ｉに値「１」を代入する。オペレーションＣＦにおいてハンドオーバ準備手順処理部４７は、測定報告に受信品質情報が含まれる予備候補セル４のうち、第ｉ番目の受信品質の予備候補セル４におけるＲＬＦの発生の可能性の程度を予測する。ＲＬＦの発生の可能性の程度が所定基準を超える場合（オペレーションＣＦ：Ｙ）には、処理はオペレーションＣＧへ進む。ＲＬＦの発生の可能性の程度が所定基準を超えない場合（オペレーションＣＦ：Ｎ）には、処理はオペレーションＣＨへ進む。オペレーションＣＧにおいてハンドオーバ準備手順処理部４７は、変数ｉの値を「１」増加させる。オペレーションＣＧの後、処理はオペレーションＣＦへ戻る。
【００８３】
オペレーションＣＨにおいてハンドオーバ準備手順処理部４７は、ハンドオーバ先候補セル４ｂ、及び第１番目〜第ｉ番目の受信品質の予備候補セル４ｃに対するハンドオーバ準備手順の実行を有線ネットワークサービス制御部４４に要求する。有線ネットワークサービス制御部４４は、ハンドオーバ準備手順を実行する。その後に処理が終了する。
【００８４】
オペレーションＣＩにおいてハンドオーバ準備手順処理部４７は、ハンドオーバ先候補セル４ｂのみに対するハンドオーバ準備手順の実行を有線ネットワークサービス制御部４４に要求する。その後に処理が終了する。
【００８５】
図１２の（Ａ）及び図１２の（Ｂ）は、図１１によるハンドオーバ処理の説明図である。ここでは、測定報告が、第１番目の受信品質の予備候補セル４ｃ及び第２番目の受信品質の予備候補セル４ｄの受信品質情報を含む場合を想定する。第１番目の受信品質の予備候補セル４ｃにおけるＲＬＦの発生の可能性の程度が所定基準以内の場合には、図１２の（Ａ）に示すようにハンドオーバ準備手順はセル４ｂ及び４ｃに対して実行される。第１番目の受信品質の予備候補セル４ｃにおけるＲＬＦの発生の可能性の程度が所定基準を超える場合には、図１２の（Ｂ）に示すようにハンドオーバ準備手順はセル４ｂ、４ｃ及び４ｄに対して実行される。
【００８６】
なお、図１２の（Ａ）及び図１２の（Ｂ）には、測定報告が２個の予備候補セル４の受信品質情報を含む場合を記載したが、測定報告に含まれる予備候補セル４の受信品質情報の数は２個よりも多くてよい。例えば、測定報告がｍ個の予備候補セル４の受信品質情報を含む場合を想定する。そして、第ｎ番目の受信品質の予備候補セル４のＲＬＦの発生の可能性の程度が所定基準以内であり（ｎ≦ｍ）、第１番目〜第（ｎ−１）番目の受信品質の予備候補セル４のＲＬＦの発生の可能性の程度が所定基準を超える場合を考える。この場合、第１番目〜第ｉ番目の受信品質の予備候補セル４ｃに対してハンドオーバ準備手順が実行される。
【００８７】
本実施例によれば、ＲＬＦの発生の可能性の程度が所定基準以内となるセル４が見つからない場合に、ハンドオーバ準備手順の対象の予備候補セルの数を増やすことが可能となる。このため、再接続手順の成功の可能性をより高めることが可能となる。また、本実施例は、ＲＬＦの発生の可能性の程度が所定基準以内となるセル４が見つかった場合には、ハンドオーバ準備手順の対象の予備候補セルを増やさない。このため、ハンドオーバ準備手順を実行する対象のセルが余計に増加することを防ぎ、基地局間における制御信号の伝送量の増大を抑制する。
【００８８】
以上の実施例を含む実施形態に関し、更に以下の付記を開示する。
（付記１）
基地局装置であって、
該基地局装置によりカバーされるサービングセルに接続される移動局装置における受信品質が所定品質を超える複数のセルを指定するセル情報を受信する受信部と、
前記セル情報にて指定される複数のセルのいずれかのセルにおいて無線リンク障害が発生する可能性の程度を予測する障害予測部と、
前記障害予測部の予測結果に応じて、無線リンク障害発生の可能性の程度が所定基準を超える場合に、前記移動局装置をハンドオーバさせるための準備手順を、前記セル情報により指定される複数のセルをそれぞれカバーする他の基地局装置に対して実行する実行部と、
を備える基地局装置。
【００８９】
（付記２）
前記準備手順は、前記移動局装置によるハンドオーバを可能とするための情報を送信することを含むことを特徴とする付記１に記載の基地局装置。
【００９０】
（付記３）
前記ハンドオーバを可能とするための情報は基地局の秘密鍵に対応する鍵情報であることを特徴とする付記２に記載の基地局装置。
【００９１】
（付記４）
前記障害予測部は、前記いずれかのセルにおいて発生した無線リンク障害の頻度に従って無線リンク障害発生の可能性の程度を予測することを特徴とする付記１〜３のいずれか一項に記載の基地局装置。
【００９２】
（付記５）
無線リンク障害が生じた移動局装置が前記基地局装置によりカバーされるセルに接続することを要求する再接続要求に応じた処理を実行する再接続要求処理部と、
移動局装置が無線リンク障害を生じたセルをカバーする基地局装置へ、該移動局装置から再接続要求を受けたことを通知する無線リンク障害指示信号を送信する障害指示信号送信部と、を備え、
前記障害予測部は、前記いずれかのセルにおいて無線リンク障害を生じた移動局装置が前記セービングセルに接続することを要求する再接続要求に応じて送信した無線リンク障害指示信号の送信頻度に従って、無線リンク障害発生の可能性の程度を予測することを特徴とする付記４に記載の基地局装置。
【００９３】
（付記６）
無線リンク障害が生じた移動局装置が前記基地局装置によりカバーされるセルに接続することを要求する再接続要求に応じた処理を実行する再接続要求処理部を備え、
前記障害予測部は、前記いずれかのセルにおいて無線リンク障害を生じた移動局装置が前記セービングセルに接続することを要求する再接続要求の発生頻度に従って、無線リンク障害発生の可能性の程度を予測することを特徴とする付記４に記載の基地局装置。
【００９４】
（付記７）
前記送信部は、前記セル情報にて指定される複数のセルのうち、無線リンク障害が発生する可能性の程度が所定基準を超える前記いずれかのセルと異なるセルをカバーする前記他の基地局装置へ、前記鍵情報を送信する付記１〜３のいずれか一項に記載の基地局装置。
【００９５】
（付記８）
前記セル情報は、セルからの信号を前記移動局装置で受信した受信品質の測定結果を報告する測定報告であって、第１セルの受信品質情報と、前記第１セル以外の第２セルの受信品質情報とを前記第１セル及び前記第２セルを指定する情報として含み、
前記基地局装置は、前記第１セルの受信品質情報に基づいて前記第１セルへ前記移動局装置をハンドオーバさせるか否かを判断するハンドオーバ判断部を備え、
前記送信部は、前記第１セルにて無線リンク障害が発生する可能性の程度が所定基準を超える場合に、前記第２セルをカバーする前記他の基地局装置へ前記鍵情報を送信する付記１〜７のいずれか一項に記載の基地局装置。
【００９６】
（付記９）
前記送信部は、前記第１セルにて無線リンク障害が発生する可能性の程度が所定基準を超えない場合に、前記第１セルをカバーする前記他の基地局装置にのみ前記鍵情報を送信する付記８に記載の基地局装置。
【００９７】
（付記１０）
基地局装置と移動局装置とを含む通信システムであって、
前記移動局装置は、
セルからの信号の受信品質を測定する受信品質測定部と、
該移動局装置のサービングセルをカバーする基地局装置へ、所定品質を超える受信品質が測定される複数のセルを指定するセル情報を送信するセル情報送信部と、を備え、
前記基地局装置は、
該基地局装置によりカバーされるセルに接続される移動局装置から前記セル情報を受信する受信部と、
前記セル情報にて指定される複数のセルのいずれかのセルにおいて無線リンク障害が発生する可能性の程度を予測する障害予測部と、
前記障害予測部の予測結果に応じて、無線リンク障害発生の可能性の程度が所定基準を超える場合に、前記移動局装置をハンドオーバさせるための準備手順を、前記セル情報により指定される複数のセルをそれぞれカバーする他の基地局装置に対して実行する実行部と、を備える通信システム。
【００９８】
（付記１１）
前記基地局装置は、前記所定品質、及び前記移動局装置におけるセルからの信号の受信品質が所定値を超えるか否かに応じて前記セル情報の送信可否を判定する判定条件を前記移動局装置へ通知する条件通知部を備え、
前記セル情報送信部は、第１セルからの信号の受信品質が前記判定条件を満たす場合に、第１セルの受信品質情報と、前記第１セル以外の前記所定品質を超える受信品質が測定される第２セルの受信品質情報と、を前記セル情報として送信することを特徴とする付記１０に記載の通信システム。
【００９９】
（付記１２）
サービングセル以外のセルからの信号を移動局装置で受信する受信品質を測定し、
測定される受信品質が所定品質を超える複数のセルを特定し、
特定される複数のセルのいずれかのセルにおいて無線リンク障害が発生する可能性の程度を予測し、
予測された無線リンク障害発生の可能性の程度が所定基準を超える場合に、前記移動局装置を前記サービングセルからハンドオーバさせるための準備手順を、前記複数のセルをそれぞれカバーする他の基地局装置に対して実行することを特徴とする通信方法。
【０１００】
（付記１３）
前記測定される受信品質に基づいて前記複数のセルのうちの第１セルへ前記移動局装置をハンドオーバさせるか否かを判断し、
前記第１セルにおける無線リンク障害が発生する可能性の程度を予測し、
前記第１セルにて無線リンク障害が発生する可能性の程度が所定基準を超える場合に、前記移動局装置をハンドオーバさせるための準備手順を、前記複数のセルのうちの第２セルをカバーする前記他の基地局装置に対して実行する、ことを特徴とする付記１２に記載の通信方法。
【符号の説明】
【０１０１】
１    通信システム
２、２ａ〜２ｄ    基地局装置
３    移動局装置
４、４ａ〜４ｄ    セル
４３    無線アクセス手順制御部
４７    ハンドオーバ準備手順処理部
【図１】
0005655710.tif 000002
【図２】
0005655710.tif 000003
【図３】
0005655710.tif 000004
【図４】
0005655710.tif 000005
【図５】
0005655710.tif 000006
【図６】
0005655710.tif 000007
【図７】
0005655710.tif 000008
【図８】
0005655710.tif 000009
【図９】
0005655710.tif 000010
【図１０】
0005655710.tif 000011
【図１１】
0005655710.tif 000012
【図１２】
0005655710.tif 000013